(57)【要約】      （修正有）【課題】作動時にセンサ領域で発生した熱を放出しやすいセンサ装置を提供する。【解決手段】センサ装置１は、基板２であって、上面２ａと、基板２内に上面２ａから形成される基板２内のキャビティ３とを有する基板２と、基板２の上面２ａに配置されており、キャビティ３を少なくとも部分的に覆う充填材料ＭＴを含むキャリア４と、基板２に向いていない方の側でキャビティ３の上方でキャリア４上に構築された感応層５であって、キャビティ３の横方向の広がりが感応層５に対して少なくとも一方向にセンタリングされた感応層５と、および、基板２に向いていない方の側で感応層５およびキャリア４を覆うパッシベーション６と、を含む。【選択図】図１
2020059116.tif 000002
【特許請求の範囲】
【請求項１】
センサ装置（１）であって、
基板（２）であって、上面（２ａ）と、基板（２）内に上面（２ａ）から形成された基板（２）内のキャビティ（３）とを有する、基板（２）と、
基板（２）の上面（２ａ）に配置されており、キャビティ（３）を少なくとも部分的に覆う充填材料（ＭＴ）を含むキャリア（４）と、
基板（２）に向いていない方の側でキャビティ（３）の上方でキャリア（４）上に構築された感応層（５）であって、キャビティ（３）の横方向の広がりが感応層（５）に対して少なくとも一方向にセンタリングされた、感応層（５）と、および
基板（２）に向いていない方の側で感応層（５）およびキャリア（４）を覆うパッシベーション（６）と、
を含むセンサ装置（１）。
【請求項２】
請求項１に記載のセンサ装置（１）において、
前記充填材料（ＭＴ）が、前記キャビティ（３）の縁部（３ａ）を少なくとも部分的に覆う、センサ装置（１）。
【請求項３】
センサ装置（１）であって、
基板（２）であって、上面（２ａ）と、基板（２）内に上面（２ａ）から形成された基板（２）内のキャビティ（３）とを有する、基板（２）と、
充填材料（ＭＴ）を含むキャリア（４）であって、基板（２）の上面（２ａ）に配置され、キャビティ（３）の縁部（３ａ）を少なくとも部分的に覆い、キャビティ（３）を少なくとも部分的に覆う、キャリア（４）と、
基板（２）に向いていない方の側でキャビティ（３）の上方でキャリア（４）に構築された感応層（５）であって、キャビティ（３）の横方向の広がりが感応層（５）に対して少なくとも一方向にセンタリングされた、感応層（５）と、および
基板（２）に向いていない方の側で感応層（５）およびキャリア（４）を覆うパッシベーション（６）と、
を含むセンサ装置（１）。
【請求項４】
請求項３に記載のセンサ装置（１）において、
前記パッシベーション（６）および前記充填材料（ＭＴ）が、それぞれ通気孔を含む、センサ装置（１）。
【請求項５】
請求項３または４に記載のセンサ装置（１）において、
前記パッシベーション（６）および前記キャリア（４）が、前記キャビティの領域（３）にキャビティ（３）内にまで延在する複数の貫通するエッチング孔（７）を含む、センサ装置（１）。
【請求項６】
請求項３から５までのいずれか１項に記載のセンサ装置（１）において、
該センサ装置（１）が熱媒体センサを含み、前記感応層（５）が感熱層を含む、センサ装置（１）。
【請求項７】
請求項３から６までのいずれか１項に記載のセンサ装置（１）において、
該センサ装置（１）が、感応層（５）とキャリア（４）との間で少なくとも感応層（５）の領域に配置された第１の接着層（Ｈ１）を含む、センサ装置（１）。
【請求項８】
請求項３から７までのいずれか１項に記載のセンサ装置（１）において、
センサ装置（１）が、感応層（５）とパッシベーション（６）との間で、少なくとも感応層（５）の領域で感応層（５）に配置された第２の接着層（Ｈ２）を含む、センサ装置（１）。
【請求項９】
請求項３から８までのいずれかに記載のセンサ装置（１）において、
前記キャビティ（３）の横方向の広がりが、前記縁部（３ａ）を介して対称的に放熱できるように、少なくとも前記感応層（５）に対して一方向においてセンタリングされた、センサ装置（１）。
【請求項１０】
請求項３から９までのいずれかに記載のセンサ装置（１）において、
キャビティ（３）が、平面図において中心（Ｍ）を有し、構築した前記感応層（５）が、この中心（Ｍ）の周りに少なくとも一方向において対称的に配置された、センサ装置（１）。
【請求項１１】
センサ装置（１）を製造する方法であって、
基板（２）を準備するステップ（Ｓ１）と、
基板（２）の上面（２ａ）に充填材料を塗布するステップ（Ｓ３ｂ）であって、これにより基板の上面（２ａ）にキャリア（４）を形成するステップ（Ｓ３ｂ）と、
キャリア（４）に感応層（５）を配置するステップ（Ｓ４）、および少なくとも横方向にいて、キャビティ（３）のための縁部（３ａ）との間の領域の横方向の広がりが感応層（５）に対してセンタリングされるように、感応層（５）を構築するステップ（Ｓ５）と、
キャリア（４）を通って基板（２）まで延在する複数のエッチング孔（７）をキャリア（４）内に設けるステップ（Ｓ７）と、および
エッチング孔（７）を介するエッチングプロセスによって基板（２）内に、縁部内（３ａ）でキャビティ（３）を形成するステップ（Ｓ８）と、
を含む方法。
【請求項１２】
請求項１１に記載の方法において、
前記基板（２）内において前記キャビティ（３）のための縁部（３ａ）として基板（２）の上面（２ａ）からトレンチ構造（ＲＢ）を形成するステップ（Ｓ３）と、および
充填材料（ＭＴ）が少なくとも部分的に縁部（３ａ）を形成するように、トレンチ構造（ＲＢ）に充填材料（ＭＴ）を導入するステップ（Ｓ３ａ）と、
を含む方法。
【請求項１３】
センサ装置（１）を製造する方法であって、
基板（２）を準備するステップ（Ｓ１）と、
基板（２）内のキャビティ（３）のための縁部（３ａ）として、基板（２）の上面（２ａ）からトレンチ構造（ＲＢ）を形成するステップ（Ｓ２）と、
トレンチ構造（ＲＢ）内に充填材料（ＭＴ）を導入するステップ（Ｓ３ａ）、および基板（２）の上面（２ａ）に充填材料（ＭＴ）を塗布するステップ（Ｓ３ｂ）であって、これにより基板（２）の上面（２ａ）および少なくとも部分的に縁部（３ａ）にキャリア（４）を形成するステップ（Ｓ３ｂ）と、
感応層（５）をキャリア（４）に配置するステップ（Ｓ４）、および縁部（３ａ）との間の領域の横方向の広がりが少なくとも横方向において感応層（５）に対してセンタリングされるように、感応層（５）を構築するステップ（Ｓ５）と、
キャリア（４）を通って基板（２）まで延在する複数のエッチング孔（７）をキャリア（４）内に設けるステップ（Ｓ７）と、および
エッチング孔（７）を介するエッチングプロセスによって基板（２）内に、縁部（３ａ）内でキャビティ（３）を形成するステップ（Ｓ８）と、
を含むセンサ装置（１）を製造する方法。
【請求項１４】
請求項１３に記載の方法において、
キャリア（４）および感応層（５）の、基板（２）に向いていない方の側にパッシベーション（６）を配置するステップ（Ｓ６）と、および
パッシベーション（６）およびキャリア（４）を通って基板（２）まで延在する複数のエッチング孔（７）をパッシベーション（６）およびキャリア（４）内に設けるステップ（Ｓ７）と、
を含む方法。
【請求項１５】
請求項１３または１４に記載の方法において、
化学量論的なまたはシリコンリッチな窒化物もしくはＳｉＯ２を、充填材料（ＭＴ）として使用する、方法。
【請求項１６】
請求項１３から１５までのいずれか１項に記載の方法において、
感応層（５）を配置するステップ（Ｓ４）の前に、感応層（５）の領域でキャリア（４）に第１の接着層（Ｈ１）を配置する、方法。
【請求項１７】
請求項１３から１６までのいずれか１項に記載の方法において、
リソグラフィ方法およびエッチング方法によって感応層（５）を構築するステップ（Ｓ５）を行い、前側からのリソグラフィおよびエッチングによってエッチング孔および感応層を生成し、同じ前側からトレンチ構造（ＲＢ）を形成する、方法。
【請求項１８】
請求項１３から１７までのいずれか１項に記載の方法において、
エッチング孔の間隔の少なくとも半分を横方向にアンダーカットする少なくとも１つの等方性エッチングステップを含むエッチング方法を用いて、キャビティ（３）を形成するステップ（Ｓ８）を行う、方法。
【発明の詳細な説明】
【技術分野】
【０００１】
本発明は、センサ装置およびセンサ装置を製造する方法に関する。
【背景技術】
【０００２】
膜を有するセンサ、特にマイクロメカニカルセンサは、作動時にセンサ領域の加熱（熱原理）にさらされ、通常、センサ領域で発生した熱を放出できることを必要とする。空気質量センサは、多くの場合には熱原理に基づいており、通常、感熱素子（温度センサ、機能性構造）は、センサチップの本体からできるだけ熱的に分離されて配置されている。膜センサでは、通常、センサの前面の膜は、膜、すなわち膜を作製することができるウェーハの裏面からキャビティ（空洞）を露出させることによって、エッチングプロセスによって生成される。加えて、多くの場合にはＫＯＨエッチングが使用される。
【０００３】
ドイツ連邦共和国特許出願公開第１０２０１６２０３２３９号明細書には、裏側の空洞を有するセンサ基板を含むマイクロメカニカルセンサ装置が記載されており、前側には、裏側の空洞の上方に配置された膜領域が設けられている。
【先行技術文献】
【特許文献】
【０００４】
【特許文献１】ドイツ連邦共和国特許出願公開第１０２０１６２０３２３９号明細書
【発明の概要】
【０００５】
本発明は、請求項１に記載のセンサ装置および請求項８に記載のセンサ装置を製造する方法を提供する。
【０００６】
好ましい実施形態が従属請求項の対象である。
【０００７】
本発明の利点
本発明の基礎をなす思想は、センサ装置ならびにセンサ装置を製造する方法であって、放熱を改善するためにセンサ膜の下方のキャビティを用いることができ、特にキャビティおよびセンサの縁部へ、定められているように例えば対称的に熱を導き、放出することができるセンサ装置ならびにセンサ装置を製造する方法を提供することである。センサ膜の前面から行うことができるエッチングプロセスによって、エッチングプロセスを短縮することができ、縁部およびキャリアによってキャビティの安定性を改善することができる。前面のエッチングにより、検出素子（空気感応層、温度センサなど）の上方のキャビティは、製作プロセス（エッチング）で自動的にセンタリングされることが有利である。
【０００８】
本発明によれば、センサ装置は、基板であって、上面と、基板内に上面から形成された基板内のキャビティとを有する基板と、基板の上面に配置されており、キャビティを少なくとも部分的に覆う充填材料を含むキャリアと、基板に向いていない方の側でキャビティの上方でキャリアに構築された感応層であって、キャビティの横方向の寸法が感応層に対して少なくとも一方向にセンタリングされた感応層と、および基板に向いていない方の側で感応層およびキャリアを覆うパッシベーションと、を備える。
【０００９】
センサ装置の好ましい実施形態によれば、充填材料は、キャビティの縁部を少なくとも部分的に覆う。
【００１０】
本発明によれば、センサ装置は、基板であって、上面と、上面から基板内に形成された基板内のキャビティとを有する基板を含む。さらにセンサ装置は、充填材料を含むキャリアであって、基板の上面に配置され、キャビティの縁部を少なくとも部分的に覆い、キャビティを少なくとも部分的に覆うキャリアと、基板に向いていない方の側でキャビティの上方でキャリアに構築された感応層であって、キャビティの横方向の広がりが感応層に対して少なくとも一方向においてセンタリングされた感応層と、および基板に向いていない方の側で感応層およびキャリアを覆うパッシベーションと、を備える。
【００１１】
センサ装置の好ましい実施形態によれば、パッシベーションおよび充填材料はそれぞれ通気孔を含む。
【００１２】
センサ装置は、有利には、膜センサとして、例えば、微小機械素子（ＭＥＭＳ）として構成することができる。
【００１３】
対称的な放熱によって、それぞれキャビティの縁部を介して、好ましくは少なくとも横方向の広がりにおいて同じ大きさで熱流を放出することができる。好ましくは、キャビティは、特に平面図では、横方向にさらなる対称性を有し、他の横方向にも熱を均等に放出することができる。検出層が（平面図で見て）キャビティの上方で中央に配置されていることにより、キャビティの縁部およびセンサ装置の側面において、異なる温度状態（いわゆる「ブリッジオフセット」）を低減または防止することができる。
【００１４】
基板の上面は、有利には、センサ装置の前面に向いているか、または前面を形成している。キャビティを形成するためのエッチングステップは、センサ領域のための膜を形成することができるキャリアの前面から有利に行われる。エッチングは、キャビティの全領域におけるキャリアの完全なエッチングを省略できるように、エッチング孔を介して行うことができる。このようにして、有利には、（エッチング、キャビティの上方に膜を設けるために）必要な処理時間を短縮することができる。
【００１５】
キャリアは、有利には膜を形成し、キャビティの縁部に少なくとも部分的に延在し、キャビティの縁部は、有利にはキャリア材料と共にキャビティの少なくとも上部でキャビティの内壁を形成することができる。キャビティを少なくとも部分的に覆う内壁およびキャリア（ストリップまたは全体のカバー）は、同じ材料からなるので、これにより、特に膜の安定性が有利に得られる。
【００１６】
キャリアは、キャビティを完全に覆ってもよいし、またはストリップのみを含んでもよい。感応層の領域の下方のキャビティによって、キャビティおよび感応層の領域で基板からのキャリアの熱的分離を達成することができる。
【００１７】
センサ装置の好ましい実施形態によれば、パッシベーションおよびキャリアは、キャビティの領域に、キャビティ内にまで延在する複数の貫通するエッチング孔を含む。
【００１８】
センサ装置の好ましい実施形態によれば、センサ装置は、熱媒体センサを含み、感応層は感熱層を含む。
【００１９】
媒体センサは、例えば、空気質量センサを含むことができる。
【００２０】
センサ装置は、有利にはガスセンサまたは圧力センサであってもよい。
【００２１】
センサ装置の好ましい実施形態によれば、センサ装置は、感応層とキャリアとの間で少なくとも感応層の領域に配置された第１の接着層を含む。
【００２２】
センサ装置の好ましい実施形態によれば、センサ装置は、少なくとも、感応層とパッシベーションとの間で、感応層の領域で感応層に配置された第２の接着層を含む。
【００２３】
パッシベーションは、堆積によって配置することができ、感応層および／または第２の接着層を環境の影響から保護することができる。
【００２４】
センサ装置の好ましい実施形態によれば、センサ装置は、パッシベーションに配置される追加のパッシベーションを含む。
【００２５】
この場合、この追加パッシベーションを第１のパッシベーション上に配置することができる。
【００２６】
センサ装置の好ましい実施形態によれば、キャビティの横方向の広がりは、縁部を介して対称的に放熱できるように、少なくとも感応層に対して一方向においてセンタリングされている。
【００２７】
センサ装置の好ましい実施形態によれば、キャビティは、平面図において中心を有し、構築した感応層は、この中心の周りに少なくとも一方向において対称的に配置している。
【００２８】
ＯＭＭ膜（表面マイクロメカニクス）の一般的な実施形態では、エッチングは、通常、キャビティの所定の縁部なしに、側面に対して等方性に行われ、これにより、横方向により広い幅の膜および不都合な膜のずれが生じる可能性がある。このことは、膜の安定性を低下させ、ブリッジオフセットを増大させる場合がある。ウェーハ裏面の解放によるキャビティの代替的な実施形態では、ウェーハを完全にエッチングする必要があることが多いので、著しく長いエッチング時間が必要とされることがある。膜のずれは、ＫＯＨを用いて十分に制御することができるが、ほとんどの場合には長方形の膜しか製造することができない。裏面トレンチの場合には、処理時間が極めて長くなり、ウェーハにわたって横方向ずれ（膜のずれおよびブリッジオフセット）が生じる可能性がある。
【００２９】
対称的な整列によって、膜のずれ、すなわち、感応層に対する縁部の位置のずれを少なくとも１次元において減じるか、またはなくすことができる。
【００３０】
本発明によれば、センサ装置を製造する方法において、基板を準備するステップと、基板の上面に充填材料を塗布するステップであって、これにより基板の上面にキャリアを形成するステップと、キャリアに感応層を配置するステップ、および少なくとも横方向において、キャビティのための縁部との間の領域の横方向の広がりが感応層に対してセンタリングされるように感応層を構築するステップと、キャリアを通って基板まで延在する複数のエッチング孔をキャリア内に設けるステップと、およびエッチング孔を介するエッチングプロセスによって基板内に、縁部内でキャビティを形成するステップと、を行う。
【００３１】
この方法の好ましい実施形態によれば、基板内のキャビティのための縁部として基板の上面からトレンチ構造を形成し、充填材料が少なくとも部分的に縁部を形成するように、トレンチ構造に充填材料を導入する。
【００３２】
本発明によれば、センサ装置を製造する方法において、基板を準備するステップと、基板内のキャビティのための縁部として基板の上面からトレンチ構造を形成するステップと、充填材料をトレンチ構造内に導入し、基板の上面に充填材料を塗布し、基板の上面および少なくとも部分的に縁部にキャリアが形成されるように、充填材料を基板の上面に塗布するステップと、感応層をキャリアに配置し、縁部との間の領域の横方向の広がりが感応層に対して少なくとも横方向においてセンタリングされるように感応層を構築するステップと、キャリアを通って基板まで延在する複数のエッチング孔をキャリア内に設けるステップと、および、エッチング孔を介するエッチングプロセスによって基板内に、縁部内でキャビティを形成するステップと、を備える。
【００３３】
この方法は、有利には、センサ装置に関連して既に述べた特徴およびこれらの特徴の利点によっても優れており、逆もまた同様である。
【００３４】
この方法の好ましい実施形態によれば、キャリアおよび感応層の、基板に向いていない方の側にパッシベーションを配置し、パッシベーションおよびキャリアを通って基板まで延在する複数のエッチング孔をパッシベーションおよびキャリア内に設ける。
【００３５】
この方法は、例えば圧力センサ、空気質量センサまたはガスセンサにおいて、表面膜を有する他の製品を製造するためにも有利に使用することができる。
【００３６】
少なくとも１つのトレンチ構造は、例えば、マスキングおよびエッチングプロセスによって形成することができる。
【００３７】
縁部によって、有利にはキャビティの外形を定めることができる。
【００３８】
縁部におけるキャリアの形成は、有利には、キャビティの内側から行い、したがって、有利には、キャビティの内壁を覆うように行う。これにより、後のエッチングでは、キャビティを、縁部（トレンチ）が形成されるよりも深く、または同じ深さで、またはそれよりも浅くエッチングすることができる。キャビティの底部がキャリアおよび感応層から離れているほど、（放熱時に）感応層に対する底部の熱的効果が低くなる場合もある。
【００３９】
キャビティが横方向にセンタリングされている、縁部と縁部との間の領域は、有利には、このそれぞれの寸法（方向）におけるキャビティの全幅を表す。
【００４０】
縁部は、真っ直ぐな、または湾曲した形状を有することができ、このことは、安定性および汚染の防止のために有利である。このようにして、有利には、キャビティの縁部境界をあらかじめ設定することができ、有利には、エッチングによって輪郭を写す必要がないので、エッチング方法は、無指向性エッチング方法を含むことができる。
【００４１】
キャビティは、有利には、縁部と縁部との間にキャビティの領域を形成することができるように、縁部内に形成することができ、この部分は、平面図でキャビティの輪郭を形成することができる縁部の間に設けることができる。横方向は、有利には、基板の上面の平面寸法に対して常に平行であると理解されるべきである。
【００４２】
この方法の好ましい実施形態によれば、化学量論的またはシリコンリッチな窒化物またはＳｉＯ２（酸化シリコン）を充填材料として使用する。
【００４３】
窒化ケイ素または酸化ケイ素は、有利には、安定性および熱伝導性に関して充填材として十分に適している。
【００４４】
この方法の好ましい実施形態によれば、感応層を配置するステップの前に、第１の接着層を感応層の領域でキャリア上に配置する。
【００４５】
この方法の好ましい実施形態によれば、感応層を構築するステップは、リソグラフィ方法およびエッチング方法によって行い、エッチング孔および感応層は、前側からのリソグラフィおよびエッチングによって生成し、トレンチ構造は同じ前側から形成する。
【００４６】
エッチング方法はイオンビームエッチングであってもよい。
【００４７】
代替的には、感応層の構築は、キャリア内に予備構造を設け、例えば感応層のためのトレンチであるこの予備構造に、感応層を充填することによって行うこともできる。感応層は、トレンチ（予備構造）内に堆積させ、次いで、キャリアの上面とほぼ平面をなすように研削プロセスによって平坦に研削することができる。研削は、例えば化学機械研磨（ＣＭＰ）または他の方法（Ｃｕダマシンプロセス）によって行うことができる。
【００４８】
この方法の好ましい実施形態によれば、キャビティの形成は、エッチング孔の間隔の少なくとも半分を横方向にアンダーカットする少なくとも１つの等方性エッチングステップを含むエッチング方法を用いて行う。
【００４９】
この方法の好ましい実施形態によれば、気体または真空をキャビティ内に閉じ込める。
【００５０】
真空により、有利にはセンサの感度を高めることができ、熱絶縁をさらに促進することができる。後面トレンチを有するセンサ装置の従来の製造方法では、通常、安定した真空を閉じ込めることができない。
【００５１】
この方法の好ましい実施形態によれば、追加のパッシベーションがパッシベーション上に配置する。
【００５２】
本発明の実施形態のさらなる特徴および利点は、添付の図面を参照した以下の説明により明らかになる。
【００５３】
概略的な図面に示す例示的な実施形態を参照して、本発明をより詳細に説明する。
【図面の簡単な説明】
【００５４】
【図１】本発明の一実施形態によるセンサ装置を示す概略的な側面図である。
【図２】本発明の一実施形態によるセンサ装置を示す概略的な平面図である。
【図３】本発明の一実施形態によるセンサ装置の製造方法を示す概略的なフロー図である。
【発明を実施するための形態】
【００５５】
図面において、同じ符号は、同じか、または機能的に同じ要素を示す。
【００５６】
図１は、本発明の一実施形態によるセンサ装置の概略的な側面図を示す。
【００５７】
センサ装置１は基板２を含み、基板２は、上面２ａと基板２内のキャビティ３とを有し、キャビティ３は上面２ａから基板２内に成形されている。さらに、センサ装置１は充填材料ＭＴを含むキャリア４を備え、キャリア４は、基板２の上面２ａに配置されており、キャビティ３の縁部３ａを少なくとも部分的に覆い、キャビティ３を少なくとも部分的に覆っている。センサ装置１は感応層５を含み、感応層５は、構造化されてキャリア４の基板２に向いていない方の側およびキャビティ３の上方に配置されており、キャビティ３の横方向の広がりは、感応層５に対して少なくとも一方向にセンタリングされており、これにより、縁部３ａを介して対称的に放熱することができる。センサ装置１は、感応層５と、基板２に向いていない側でキャリア４とを覆うパッシベーション６を備える。
【００５８】
感応層５は、単一の層または複数の層を含んでいてもよい。例えばキャリア４への塗布による製造プロセスによって、感応層５の断面は、例えば長方形または台形であってもよい。次に、第２の接着層Ｈ２を、感応層５の上面に配置（堆積）し、パッシベーション６との接着によって直接の接触を形成することができる。
【００５９】
エッチング孔７は、有利には、パッシベーション６内およびキャリア４内に互いに間隔ｇをおいて設けられている。エッチング孔の間の間隔ｇは、有利には同じであってもよい。分かりやすくするために、１つのループの一部である一対の感応層５のみを図に示してある。しかしながら、感応層５（層５の対）を有する複数のループをキャリア４に配置することも可能である。それらループの間に、またはそれらループの隣に横方向に１つ以上の温度センサを（キャリア４に）配置することもできる。間隔ｇの選択により、キャビティ３の深さを有利に決定することができる。選択した間隔が大きすぎる場合には、長い時間の後にようやく、エッチング孔を介して連続的なキャビティを形成することができ、これにより、キャビティの深さをより深くすることもできる。しかしながら、深さは、間隔ｇが小さい場合にもエッチング時間によって制御することもできる。
【００６０】
センサ装置１は、キャリア４、感応層５およびパッシベーション６を少なくとも部分的に覆うことができる追加のパッシベーション８を含むことができる。この追加パッシベーション８は、有利にはエッチング孔をさらに覆い、エッチング孔を閉じることもできる。キャビティ内には、このようにして、周囲とは異なる圧力を有するガスまたは真空を閉じ込めてもよい。閉じ込めたガスまたは真空によって、（センサの下方の基板または構造に対する）膜、すなわちキャリア４の熱絶縁を有利に改善することができる。
【００６１】
基板２は、例えばＳｉを含むウェーハとして提供することもできる。
【００６２】
キャビティ３の深さは、有利には用途に応じて異なるように形成してもよい。高い熱流が予想される場合には、放熱時にキャビティ３の底部が感応層５に対してより小さい干渉しかもたらさないかまたは全くもたらさないように、キャビティ３をより深く形成することができる。キャビティ３は、例えば、約２５〜１００μｍの深さを有することができる。キャビティ３のそれぞれの深さの選択は、有利には、感応層５の下方にキャビティをセンタリングすることと、キャビティの幅を有利には付加的に決定可能であることとを確保して、行うことができる。
【００６３】
感応層５の配置および構築は、有利には、基板２内にキャビティ３の形成する前に（キャビティ３の領域でキャリア４を解放する前に）行い、これにより、有利には（構築のための）リソグラフィに必要なキャリア（膜）の平坦なトポグラフィを提供することができる。
【００６４】
キャリア４の製造時には基板内にトレンチ構造を形成することができ、基板内には後にキャリア４の充填材料ＭＴを導入することができる。この導入は、トレンチがあまり広い幅に形成されていない場合にのみその生成したトレンチの幅全体を完全に充填することができるので、トレンチ構造および結果として生じる縁部３ａは、対応して肉薄に選択するか、または複数のトレンチ構造を基板内に互いに平行に設けることができる（図示しない）。次にこれらのトレンチに充填材料ＭＴを充填することができる。キャビティ３をエッチングした後に、トレンチがキャビティの底部まで延在していない場合には、充填されたトレンチ間の基板材料を除去することもできる。その後、互いに平行な垂直方向の支持体を、例えば互いに間隔ｄを有することができる縁部３ａとして残すことができる。この間隔ｄは、有利には、全ての縁部３ａについて同じでもよいし、異なってもよい。
【００６５】
第１の接着層Ｈ１は、キャリア４に対する感応層５の材料のための拡散バリアであってもよい。第２の接着層Ｈ２は同様に感応層のための拡散バリアであってもよい。第２の接着層Ｈ２は感応層５に堆積させることができる。
【００６６】
キャビティは、例えばＸｅＦ２（二フッ化キセノン）を用いて、例えば等方性で基板２内に設けることができる。ＸｅＦ２を用いたエッチングに加えて、またはその代わりに、ＳＦ６（六フッ化硫黄）を用いてエッチングプロセスを行うこともでき、この場合、深さ方向に向けることができる。さもなければ、有利には、無指向性のエッチング方法を使用することもできる。
【００６７】
追加パッシベーション８は、有利には、環境の影響（湿気、塵）に対する保護として形成してもよく、適切な材料を含んでもよい。
【００６８】
エッチングはＫＯＨによって行うこともできる。
【００６９】
図２は、本発明の一実施形態によるセンサ装置の概略的な平面図を示す。
【００７０】
センサ装置１の平面図に示すように、キャビティ３は、縁部３ａを有する例示的な卵形（楕円）の形状を備え、その縁部は、キャビティ３の周り全体を包囲することができる。感応層５は、有利には少なくとも横方向ｋに沿って中心Ｍに対して対称的に配置している。したがって、方向ｋに沿って（中心から両側まで）同じ距離をおいて感応層５を配置することができるので、横方向ｋと交差する縁部３ａへの温度流束を両側で対称的にすることができる。
【００７１】
感応層５は、有利には、電気回路に接続することもでき、または感応層５自体が、測定素子を有する回路を形成することもでき、有利には、測定すべきパラメータに依存し得る感応層の電気抵抗を測定することもできる。このループは、有利にはホイートストンブリッジとすることができる。
【００７２】
縁部３ａの有利な任意の形状によって、有利には、平面図で縁部境界の、したがってキャビティ３の任意の設計を実現することができ、これにより、キャビティ３の安定性および汚染特性に有利に影響を及ぼすことができる。有利には、エッチング孔７は、感応層５の間に設けており、また有利には、互いに等間隔で分布させている。上面図は、例示的に感応層５の３つのループを示している。
【００７３】
基板およびキャビティを有するキャリアはチップ上に配置してもよいし、またはチップとして形成してもよい。
【００７４】
図３は、本発明の一実施形態によるセンサ装置の製造方法の概略的なフロー図を示す。
【００７５】
本センサ装置の製造方法では、基板を準備するステップＳ１と、基板の上面から基板内のキャビティの縁部としてトレンチ構造を形成するステップＳ２と、トレンチ構造内に充填材料を導入するステップＳ３ａと、基板の上面に充填材料を塗布するステップＳ３ｂとを備え、これにより、キャリアを、基板の上面に形成し、かつその縁部領域上に少なくとも部分的に形成する。さらに、キャリアに感応層を配置するステップＳ４および感応層を構築するステップＳ５を行い、少なくとも横方向に、縁部との間の領域の横方向の広がりが感応層にセンタリングされるように行い、有利には、感応層の、基板に向いていない方の側で、キャリアおよび感応層にパッシベーションを配置するステップＳ６を行う。さらに、有利には、パッシベーションおよびキャリアを通って基板まで延在することができる複数のエッチング孔を、有利にはパッシベーションおよびキャリア内に設けるステップＳ７、およびエッチング孔を通るエッチングプロセスによって、縁部境界内の基板内にキャビティを形成するステップＳ８を行う。上記方法ステップＳ３ａおよびＳ３ｂは、同時に順番に行うことができる。
【００７６】
トレンチ構造は、トレンチプロセスによって導入することができる。
【００７７】
以上、好ましい実施形態に基づいて本発明を完全に説明したが、本発明はこれに限定されるものではなく、様々な方法で変更可能である。
【符号の説明】
【００７８】
１  センサ装置
２  基板
２ａ  上面
３  キャビティ
３ａ  縁部
４  キャリア
５  感応層
６  パッシベーション
７  エッチング孔
８  パッシベーション
ｄ  間隔
Ｍ  中心
ＭＴ  充填材量
ＲＢ  トレンチ構造
Ｓ１〜Ｓ８  ステップ
【図１】
2020059116.tif 000003
【図２】
2020059116.tif 000004
【図３】
2020059116.tif 000005
【外国語明細書】
2020059116000001.pdf